(57)【要約】  電力使用状態の表示方法及びそれを適用した携帯機器が提供される。本電力使用状態の表示方法は、カメラを通じて入力された画面で少なくとも一つの電子機器を識別し、少なくとも一つの電子機器に対する電力使用情報を受信し、受信された電力使用情報を用いて、少なくとも一つの電子機器に対する電力使用状態を判断し、少なくとも一つの電子機器に対する電力使用状態に応じて段階別に異なるＧＵＩをディスプレイする。
2014517955.tif 000002
【特許請求の範囲】
【請求項１】
カメラを通じてキャプチャされた画面上のイメージで少なくとも一つの電子機器を識別するステップと、
前記少なくとも一つの電子機器に対する電力使用情報を受信するステップと、
前記受信された電力使用情報を用いて、前記少なくとも一つの電子機器に対する電力使用状態を判断するステップと、
前記少なくとも一つの電子機器に対する電力使用状態に応じて段階別に異なるＧＵＩをディスプレイするステップと
を含む電力使用状態の表示方法。
【請求項２】
前記ディスプレイするステップは、
前記少なくとも一つの電子機器の電力使用状態に対応するＧＵＩを、前記画面上で前記少なくとも一つの電子機器の表示位置にマッチングさせてディスプレイするステップを含むことを特徴とする請求項１に記載の電力使用状態の表示方法。
【請求項３】
前記少なくとも一つの電子機器の位置情報または形状情報を保存するステップを更に含むことを特徴とする請求項１に記載の電力使用状態の表示方法。
【請求項４】
前記識別するステップは、
前記予め保存された少なくとも一つの電子機器の位置情報または形状情報を用いて、前記少なくとも一つの電子機器を識別することを特徴とする請求項３に記載の電力使用状態の表示方法。
【請求項５】
前記ＧＵＩは、
前記電力使用状態の段階に応じて、前記電子機器を色別に表示したＧＵＩであることを特徴とする請求項１に記載の電力使用状態の表示方法。
【請求項６】
前記ＧＵＩは、
前記電力使用状態の段階に応じて、異なる形態で表示されるアイコンであることを特徴とする請求項１に記載の電力使用状態の表示方法。
【請求項７】
前記判断するステップは、
電子機器の現在の電力使用量が基準使用量目標値を超過しているか否か、または現在の電子機器の使用パターンで使用する場合に前記基準使用量目標値を超過すると予想されるか否かを判断し、前記少なくとも一つの電子機器に対する電力使用状態を判断することを特徴とする請求項１に記載の電力使用状態の表示方法。
【請求項８】
時間帯別の電気代に対する情報を受信するステップを更に含み、
前記判断するステップは、
前記受信した時間帯別の電気代に基づき現在の時間帯の電気代に比べて高い瞬間電力を使用するか否かを判断し、前記少なくとも一つの電子機器に対する電力使用状態を判断することを特徴とする請求項１に記載の電力使用状態の表示方法。
【請求項９】
生成されたＧＵＩが選択されると、対応する電子機器の電力使用に対する情報及び前記対応する電子機器の電力使用を制御することができるメニューが含まれたメニューウィンドウを生成するステップを更に含むことを特徴とする請求項１に記載の電力使用状態の表示方法。
【請求項１０】
前記受信するステップは、
Ｗｉ−Ｆｉネットワーク、Ｚｉｇｂｅｅ（登録商標）ネットワーク、ＮＦＣネットワーク及びブルートゥース（Ｂｌｕｅｔｏｏｔｈ（登録商標））ネットワークのうち何れか一つを用いて、前記少なくとも一つの電子機器に対する電力使用情報を受信することを特徴とする請求項１に記載の電力使用状態の表示方法。
【請求項１１】
前記電力使用情報は、
前記少なくとも一つの電子機器に対する現在までの電力使用量、瞬間電力使用量及び電気代情報のうち、少なくとも一つを含むことを特徴とする請求項１に記載の電力使用状態の表示方法。
【請求項１２】
少なくとも一つの電子機器を撮影するカメラを含む撮影部と、
前記少なくとも一つの電子機器に対する電力使用情報を受信する通信部と、
ＧＵＩを生成するためのＧＵＩ生成部と、
ディスプレイ部と、
前記撮影部を介して入力された画面で前記少なくとも一つの電子機器を識別し、前記受信された電力使用情報を用いて、前記少なくとも一つの電子機器に対する電力使用状態を判断し、前記少なくとも一つの電子機器に対する電力使用状態に応じて段階別に異なるＧＵＩをディスプレイするように前記ＧＵＩ生成部及び前記ディスプレイ部を制御する制御部と
を含む携帯機器。
【請求項１３】
前記制御部は、
前記少なくとも一つの電子機器の電力使用状態に対応するＧＵＩを、前記画面上で前記少なくとも一つの電子機器の表示位置にマッチングさせてディスプレイするように前記ディスプレイ部を制御することを特徴とする請求項１２に記載の携帯機器。
【請求項１４】
前記少なくとも一つの電子機器の位置情報または形状情報を保存する保存部を更に含むことを特徴とする請求項１２に記載の携帯機器。
【請求項１５】
前記少なくとも一つの電子機器の位置情報または形状情報を保存する保存部を更に含むことを特徴とする請求項１２に記載の携帯機器。
【発明の詳細な説明】
【技術分野】
【０００１】
本発明は、電力使用状態の表示方法及びその方法を適用した携帯機器に関し、より詳細には、拡張現実（ａｕｇｍｅｎｔｅｄ  ｒｅａｌｉｔｙ）を用いて電子機器の電力使用情報を提供する電力使用状態の表示方法及びそれを適用した携帯機器に関する。
【背景技術】
【０００２】
世界的に温室効果ガスを減らすために、様々な政策及び研究が盛んに進められてきた。特に、温室効果ガスを削減するための政策として、電気代を引き上げたり、時間帯別に異なる電気代を設定して特定の時間に集中する電気使用量を分散させようとする取り組みが進められてきた。
【０００３】
これらにより、一般使用者は、電気代の引き上げ及び供給と需要に応じて電気代が変化するＲＴＰ（Ｒｅａｌ  Ｔｉｍｅ  Ｐｒｉｃｉｎｇ）により、電気の使用に対して敏感になっており、現在使用している電気の使用に対する情報の入手を望んでいる。
【０００４】
しかし、ユーザは、従来の家庭で使用する電子機器を通じて現在使用している電気の使用に対する情報を獲得することが困難であった。具体的に、ユーザは、従来の家庭で使用する電子機器の電気使用情報を獲得するために、電子機器の裏に表示されている電子機器の定格使用情報を調べたり、家庭内に設置された電力量計を通じて総消費電力を調べるしかないという問題点があった。
【０００５】
従って、ユーザが家庭内に備えられた電子機器の電気の使用情報を把握し、電子機器を制御するための方法への模索が求められる。
【発明の概要】
【発明が解決しようとする課題】
【０００６】
そこで、本発明は、上記問題に鑑みてなされたものであり、本発明の目的とするところは、受信した電子機器の電力使用情報を用いて、電子機器に対する電力使用状態を判断し、電子機器に対する電力使用状態に応じて段階別に異なるＧＵＩをディスプレイする電力使用状態の表示方法及びそれを適用した携帯機器を提供することにある。
【課題を解決するための手段】
【０００７】
前記目的を達成するための本発明の一実施形態に係る携帯機器の電力使用状態の表示方法は、カメラを通じて入力された画面で少なくとも一つの電子機器を識別するステップと、前記少なくとも一つの電子機器に対する電力使用情報を受信するステップと、前記受信された電力使用情報を用いて、前記少なくとも一つの電子機器に対する電力使用状態を判断するステップと、前記少なくとも一つの電子機器に対する電力使用状態に応じて段階別に異なるＧＵＩをディスプレイするステップとを含む。
【０００８】
一方、前記目的を達成するための本発明の一実施形態に係る携帯機器は、少なくとも一つの電子機器を撮影するカメラを含む撮影部と、前記少なくとも一つの電子機器に対する電力使用情報を受信する通信部と、ＧＵＩを生成するためのＧＵＩ生成部と、ディスプレイ部と、前記撮影部を介して入力された画面で前記少なくとも一つの電子機器を識別し、前記受信された電力使用情報を用いて、前記少なくとも一つの電子機器に対する電力使用状態を判断し、前記少なくとも一つの電子機器に対する電力使用状態に応じて段階別に異なるＧＵＩをディスプレイするように前記ＧＵＩ生成部及び前記ディスプレイ部を制御する制御部とを含む。 
【図面の簡単な説明】
【０００９】
【図１】本発明の一実施形態に係る電子機器の電力使用状態に対する情報を含むＧＵＩを提供するためのホームネットワークシステムを示す図である。
【図２】本発明の一実施形態に係る携帯機器のブロック図を示す図である。
【図３】本発明の一実施形態に係る携帯機器にディスプレイされたＧＵＩを示す図である。
【図４】本発明の一実施形態に係る携帯機器にディスプレイされたＧＵＩを示す図である。
【図５】本発明の一実施形態に係る携帯機器にディスプレイされたＧＵＩを示す図である。
【図６】本発明の一実施形態に係る携帯機器にディスプレイされたＧＵＩを示す図である。
【図７】本発明の一実施形態に係る携帯機器にディスプレイされたＧＵＩを示す図である。
【図８】本発明の一実施形態に係る携帯機器にディスプレイされたＧＵＩを示す図である。
【図９】本発明の一実施形態に係る携帯機器にディスプレイされたＧＵＩを示す図である。
【図１０】本発明の一実施形態に係る携帯機器にディスプレイされたＧＵＩを示す図である。
【図１１】本発明の一実施形態に係る電子機器の電力使用状態に対する情報を提供するための携帯機器の電力使用状態の表示方法を簡略に説明するためのフローチャートである。
【図１２】本発明の一実施形態に係る電子機器の電力使用状態に対する情報を提供するための携帯機器の電力使用状態の表示方法を詳細に説明するためのフローチャートである。
【図１３】本発明の別の実施形態に係る電子機器の電力使用状態に対する情報を含むＧＵＩを提供するためのホームネットワークシステムを示す図である。
【図１４】本発明の一実施形態に係る電子機器の位置情報及び形状情報を保存する方法を説明するための図である。
【図１５】本発明の一実施形態に係る電子機器の位置情報及び形状情報を保存する方法を説明するための図である。
【図１６】本発明の一実施形態に係る電子機器の位置情報及び形状情報を保存する方法を説明するための図である。
【図１７】本発明の一実施形態に係る電子機器の位置情報及び形状情報を保存する方法を説明するための図である。
【図１８】本発明の一実施形態に係る電子機器の位置情報及び形状情報を保存する方法を説明するための図である。
【図１９】本発明の一実施形態に係る電子機器の位置情報及び形状情報を保存する方法を説明するための図である。
【発明を実施するための形態】
【００１０】
以下に添付図面を参照しながら、本発明の好適な実施形態について詳細に説明する。
【００１１】
図１は、本発明の一実施形態に係る電子機器の電力使用状態に対する情報を含むＧＵＩを提供するためのホームネットワークシステム１０を示す図である。図１に示すように、ホームネットワークシステム１０には、電子機器の電力使用状態に対する情報を提供するＧＵＩを生成する携帯機器１００及び複数の電子機器２００−１、２００−２、…、２００−５を含む。
【００１２】
このとき、複数の電子機器２００−１、２００−２、…、２００−５は、自分の電力使用情報を携帯機器に提供する。具体的に、複数の電子機器２００−１、２００−２、…、２００−５は、自ら備えられた電力測定装置を用いて測定された電力使用情報をメッシュネットワーク（Ｍｅｓｈ  Ｎｅｔｗｏｒｋ）を用いて携帯機器１００に提供することができる。具体的に、複数の電子機器２００−１、２００−２、…、２００−５は、Ｗｉ−Ｆｉネットワーク、Ｚｉｇｂｅｅ(登録商標)ネットワーク、ＮＦＣ（Ｎｅａｒ  Ｆｉｅｌｄ  Ｃｏｍｍｕｎｉｃａｔｉｏｎ）ネットワーク及びブルートゥース（Ｂｌｕｅｔｏｏｔｈ（登録商標））ネットワークのうち、何れか一つを用いて携帯機器１００に電力使用情報を提供することができる。このとき、電力使用情報は、電子機器に対する現在までの電力使用量、瞬間電力使用量及び電気代情報等が含まれてよい。
【００１３】
なお、複数の電子機器２００−１、２００−２、…、２００−５に自体的に電力量計が備えられていない場合、外部のスマートメータ（ＳｍａｒｔＭｅｔｅｒ）を用いて測定された電力使用情報をメッシュネットワークを通じて携帯機器１００に提供することができる。このとき、スマートメータは、時間帯別の使用量を測定し、その情報を送信することができる機能を備えた装置として、時間帯別の電気代を知ることができる電子式電力量計のことをいう。
【００１４】
図１に示す複数の電子機器２００−１、２００−２、…、２００−５は、テレビ２００−１、冷蔵庫２００−２、洗濯機２００−３、クックトップ２００−４及びエアコン２００−５で実現されてよいが、これらは一実施形態に過ぎず、コンピュータ、電子レンジ、扇風機等のような他の電子機器が適用されてよい。
【００１５】
携帯機器１００は、カメラを用いて複数の電子機器２００−１、２００−２、…、２００−５を撮影し、撮影された画面内で複数の電子機器２００−１、２００−２、…、２００−５を識別する。このとき、携帯機器１００は、予め保存された複数の電子機器２００−１、２００−２、…、２００−５の位置情報または形状情報を用いて、複数の電子機器２００−１、２００−２、…、２００−５を識別することができる。携帯機器１００が撮影された映像内に電子機器を識別する方法は、図１４ないし図１９を参照して後述する。
【００１６】
そして、携帯機器１００は、Ｗｉ−Ｆｉネットワーク、Ｚｉｇｂｅｅ（登録商標）ネットワーク、ＮＦＣネットワーク及びブルートゥース（Ｂｌｕｅｔｏｏｔｈ（登録商標））ネットワークのようなメッシュネットワークを通じて識別された複数の電子機器２００−１、２００−２、…、２００−５に対する電力使用情報を受信する。
【００１７】
そして、携帯機器１００は、受信された複数の電子機器２００−１、２００−２、…、２００−５の電力使用情報を用いて、複数の電子機器２００−１、２００−２、…、２００−５に対する電力使用状態を判断し、複数の電子機器２００−１、２００−２、…、２００−５に対する電力使用状態に応じて段階別に異なるＧＵＩをディスプレイする。
【００１８】
具体的に、携帯機器１００は、電子機器の現在の電力使用量が基準使用量目標値を超過しているか否か、現在の電子機器の使用パターンで使用する場合に基準使用量目標値を超過すると予想されるか否か、又は現在の時間帯の電気代に比べて高い瞬間電力を使用するか否かを判断し、複数の電子機器２００−１、２００−２、…、２００−５に対する電力使用状態を判断する。
【００１９】
このとき、携帯機器１００は、拡張現実機能を用いて生成されたＧＵＩを画面にディスプレイすることができる。具体的に、携帯機器１００は、複数の電子機器２００−１、２００−２、…、２００−５が含まれたイメージを画面上にディスプレイし、複数の電子機器２００−１、２００−２、…、２００−５の電力使用状態に対応するＧＵＩを複数の電子機器２００−１、２００−２、…、２００−５の表示位置にマッチングさせてディスプレイすることができる。
【００２０】
例えば、携帯機器１００は、複数の電子機器２００−１、２００−２、…、２００−５に対する電力使用状態を「良い」、「普通」、「悪い」のように、３段階に分けて判断することができ、電子機器の電力使用状態の各段階に応じて、当該電子機器を色別に表示したＧＵＩを生成することができる。更に別の実施形態として、携帯機器１００は、電子機器の電力使用状態の各段階に対応するアイコンを生成し、イメージ内に含まれた当該電子機器の周辺に生成されたアイコンをディスプレイすることができる。
【００２１】
なお、ユーザ入力部（例えば、タッチパネル）を通じて生成されたＧＵＩが選択されると、携帯機器１００は、当該電子機器の電力使用に対する情報及び当該電子機器の電力使用を制御することができるメニューが含まれたメニューウィンドウを生成することができる。
【００２２】
このとき、携帯機器１００は、スマートフォンで実現されてよいが、それは一実施形態に過ぎず、撮影部及びディスプレイ部を備えるタブレットパソコン、デジタルカメラ、デジタルカムコーダ等で実現されてよい。
【００２３】
上述のホームネットワークシステム１０によって、ユーザは家庭内で使用する電子機器の電子使用状態を直観的に確認することができ、確認した電子使用状態に応じて電子機器を制御することができるようになる。
【００２４】
以下においては、図２を参照し、本発明の一実施形態に係る携帯機器１００に対してより詳細に説明する。図２は、本発明の一実施形態に係る携帯機器１００のブロック図を示す図である。図２に示すように、携帯機器１００は、通信部１１０と、制御部１２０と、ディスプレイ部１３０と、撮影部１４０と、ＧＵＩ生成部１５０及び保存部１６０を含む。
【００２５】
通信部１１０は、外部の複数の電子機器２００−１、２００−２、…、２００−５から当該電子機器の電力使用情報を受信する。このとき、電力使用情報には、電子機器に対する現在までの電力使用量、瞬間電力使用量及び電気代情報及び月別目標電力使用量等が含まれてよい。
【００２６】
なお、通信部１１０は、外部の複数の電子機器２００−１、２００−２、…、２００−５で直接電力使用情報を受信することができるが、それは一実施形態に過ぎず、外部のＤＲコントローラから複数の電子機器２００−１、２００−２、…、２００−５に対する電力使用情報を受信することができる。それに対しては、図１３を参照して説明する。なお、通信部１１０は、ＤＲコントローラから時間帯別の電気代に対する情報を受信することができる。
【００２７】
なお、通信部１１０は、撮影部１４０で撮影が行われると、撮影部１４０によって入力される画面で識別される少なくとも一つの電子機器に対する電力使用情報を受信することができ、予め設定された周期で全電子機器に対する電力使用情報を受信することもできる。
【００２８】
このとき、通信部１１０は、Ｗｉ−Ｆｉネットワーク、Ｚｉｇｂｅｅ（登録商標）ネットワーク、ＮＦＣネットワーク及びブルートゥース（Ｂｌｕｅｔｏｏｔｈ（登録商標））ネットワークのうち、何れか一つを通じて複数の電子機器２００−１、２００−２、…、２００−５及びＤＲコントローラから電気使用情報を受信する。特に、Ｚｉｇｂｅｅ（登録商標）ネットワークは、近距離無線パーソナル通信網として、低電力、低価格でホームネットワークシステム１０に適用されることができる。
【００２９】
ディスプレイ部１３０は、撮影部１４０によって撮影された映像または保存部１６０に保存された映像をディスプレイする。なお、ディスプレイ部１３０は、ＧＵＩ生成部１５０から生成されたＧＵＩ（Ｇｒａｐｈｉｃ  Ｕｓｅｒ  Ｉｎｔｅｒｆａｃｅ）をディスプレイすることができる。
【００３０】
撮影部１４０は、複数の電子機器２００−１、２００−２、…、２００−５が含まれた周辺イメージを撮影する。具体的に、撮影部１４０は、撮影部１４０内に含まれたカメラを用いて、映像をイメージセンサ領域に結像するようにし、イメージセンサはレンズを通じて入射された光を電気信号を光電変換する。そして、撮影部１４０に含まれたイメージ処理部（図示せず）は、イメージセンサから入力される映像に対する信号処理を行い、映像データを獲得するようになる。このような映像データは、ディスプレイ部１３０によってディスプレイされる。
【００３１】
ＧＵＩ生成部１５０は、複数の電子機器２００−１、２００−２、…、２００−５の電力使用状態に対する情報を示すＧＵＩを生成する。なお、ＧＵＩ生成部１５０は、電子機器の電力使用に対する情報及び当該電子機器の電力使用を制御することができるメニューが含まれたメニューウィンドウを生成することができる。
【００３２】
保存部１６０は、外部から入力される映像または撮影された映像を保存する。なお、保存部１６０は、複数の電子機器２００−１、２００−２、…、２００−５の位置情報及び形状情報の何れか一方を含んでよい。
【００３３】
一方、保存部１６０は、ハードディスク、非揮発性メモリ等で実現されてよい。
【００３４】
制御部１２０は、ユーザ入力部（図示せず）を介して伝達されるユーザの操作内容に基づいてユーザ命令を把握し、把握したユーザ命令に応じて携帯機器１００の動作全般を制御する。
【００３５】
具体的には、制御部１２０は、撮影部１４０を介して入力された画面で複数の電子機器２００−１、２００−２、…、２００−５のうち少なくとも一つを識別する。このとき、制御部１２０は、保存部１６０に保存された複数の電子機器２００−１、２００−２、…、２００−５の形状情報または位置情報を用いて、複数の電子機器２００−１、２００−２、…、２００−５のうち少なくとも一つの電子機器を識別することができる。電子機器の形状情報または位置情報を保存し、それを用いて電子機器を識別する方法は、図１４ないし図１９を参照して説明する。
【００３６】
具体的には、ユーザは、図１４のように、携帯機器１００を用いてテレビ１４００を正面から撮影する。そして、図１５ないし図１８のように、テレビ１４００を基準として下方、上方、右方及び左方の映像を撮影する。それは、携帯機器１００が方位角センサを用いてテレビ１４００の現在の位置の上／下／左／右映像を保存させることで、テレビ１４００の相対的な位置を保存するためである。
【００３７】
そして、ユーザは図１９に示すように、携帯機器１００によって撮影された映像内に含まれたテレビ１４００をドラッグし、テレビ１４００の形状を保存する。
【００３８】
上述のように、予め保存されたテレビ１４００の（相対的な）位置情報及び形状情報を用いて、制御部１２０は、現在撮影された映像内で予め保存されたテレビ１４００の位置情報及び形状情報を追跡する。追跡の結果、保存されたテレビ１４００の位置情報及び形状情報と一致するテレビ１４００が存在すると、制御部１２０は現在撮影される映像内に含まれたテレビ１４００を識別することができるようになる。
【００３９】
しかし、電子機器の形状情報又は位置情報を用いて電子機器を識別することは一実施形態に過ぎず、別の方法によって電子機器を識別することができる。例えば、制御部１２０は、電子機器に付けられたＱＲコード（登録商標）を用いて当該電子機器を識別することができる。
【００４０】
なお、制御部１２０は、メッシュネットワークを通じて受信された複数の電子機器２００−１、２００−２、…、２００−５に対する電力使用情報を用いて、複数の電子機器２００−１、２００−２、…、２００−５に対する電力使用状態を判断し、複数の電子機器２００−１、２００−２、…、２００−５に対する電力使用状態に応じて段階別に異なるＧＵＩをディスプレイする。
【００４１】
具体的には、制御部１２０は、電子機器の現在の電力使用量が基準使用量目標値を超過しているか否か、現在の電子機器の使用パターンで使用する場合に基準使用量目標値を超過すると予想されるか否か、又は現在の時間帯の電気代に比べて高い瞬間電力を使用するか否かを判断し、複数の電子機器２００−１、２００−２、…、２００−５に対する電力使用状態を判断する。このとき、制御部１２０は、複数の電子機器２００−１、２００−２、…、２００−５に対する電力使用状態を第１段階（良い）、第２段階（普通）、第３段階（悪い）のように３段階に分けて判断することができる。
【００４２】
例えば、制御部１２０は、現在の電力使用量が基準使用量目標値を超過しているか否かについての情報を用いて、電子機器の電力使用状態を判断することができる。すなわち、エアコンの現在の電力使用量が基準使用量の５０％以下である場合、すなわち、エアコンの基準使用量が３０ＫＷであるとき、現在エアコンの電力使用量が１５ＫＷ以下である場合、制御部１２０は、エアコンの電力使用状態を第１段階と判断する。また、エアコンの現在の電力使用量が基準使用量の５０％超過かつ基準使用量以下である場合、すなわち、現在エアコンの電力使用量が１５ＫＷ超過かつ３０ＫＷ以下である場合、制御部１２０はエアコンの電力使用状態を第２段階と判断する。また、エアコンの現在の電力使用量が基準使用量を超過する場合、すなわち、現在エアコンの電力使用量が３０ＫＷ超過である場合、制御部１２０はエアコンの電力使用状態を第３段階と判断する。このとき、第１段階から第３段階まで進むほど、電力使用状態が次第に悪くなることが分かる。
【００４３】
更に別の例として、制御部１２０は、現在の電子機器の使用パターンとして使用する場合、基準使用量目標値を超過すると予想されるか否かを用いて、電子機器の電力使用状態を判断することができる。すなわち、現在までのテレビ使用パターンで使用する場合に使用量目標値の８０％以下であることが予想される場合、制御部１２０はテレビの電力使用状態を第１段階と判断する。なお、現在までのテレビ使用パターンで使用する際に使用量目標値の８０％を超過し、使用量目標値以下であることが予想される場合、制御部１２０はテレビの電力使用状態を第２段階と判断する。なお、現在までのテレビ使用パターンとして使用する際に使用量目標値を超過することが予想される場合、制御部１２０はテレビの電力使用状態を第３段階と判断する。
【００４４】
更に別の例として、制御部１２０は、現在の時間帯の電気代を考慮して高い瞬間電力を使用するか否かについての情報を用いて、電子機器の電力使用状態を判断することができる。すなわち、制御部１２０は、現在の電気代の段階が４段階（１．非常に安い、２．若干安い、３．若干高い、４．非常に高い）のうち何れかであるかを判断し、テレビの電気消費段階が４段階（１．パワーモード、２．通常モード、３．節電モード、４．超節電モード）のうち何れかであるかを判断する。そして、もし、現在の電気代の段階が“４．非常に高い”段階である場合、テレビの電気消費段階が“４．超節電モード”である場合、制御部１２０はテレビの電力使用状態を第１段階と判断し、テレビの電気消費段階が“３．節電モード”である場合、制御部１２０はテレビの電力使用状態を第２段階と判断し、テレビの電気消費段階が“１．パワーモード”または“２．通常モード”であると、テレビの電力使用状態を第３段階と判断する。しかし、現在の電気代の段階が“１．非常に安い”である場合、制御部１２０はテレビの電気消費段階に関係なく、テレビの電力使用状態を第１段階と判断する。すなわち、現在の時間の電気代に応じて高い電力を使用するか否かを用いて、電子機器の電力使用状態を判断することができるようになる。
【００４５】
一方、上述の実施形態において言及した値は、一実施形態に過ぎず、別の値によって各段階が設定されてよい。
【００４６】
なお、上述の実施形態において言及した電子機器の電力使用状態に対する判断方法は一実施形態に過ぎず、別の方法によって電力使用状態を把握することができるようになる。
【００４７】
なお、制御部１００は、拡張現実機能を用いて生成されたＧＵＩを画面にディスプレイすることができる。具体的に、制御部１２０は、複数の電子機器２００−１、２００−２、…、２００−５が含まれたイメージを画面上にディスプレイし、識別された電子機器の電力使用状態に対応するＧＵＩを識別された電子機器の表示位置にマッチングさせてディスプレイすることができる。このとき、制御部１２０は、電子機器の電力使用状態の各段階に応じて、当該電子機器を色別に表示したＧＵＩを生成することができる。それに対して、図３ないし図８を参照して説明する。
【００４８】
具体的には、エアコンの電力使用状態が第１段階と判断された場合、制御部１２０は、図３に示すように、映像内に含まれたエアコンに第１色がオーバーラッピングされるようにＧＵＩ３１０を付加することができる。このとき、第１の色は緑色であってよい。なお、冷蔵庫の電力使用状態が第２段階と判断された場合、制御部１２０は、図５に示すように、映像内に含まれた冷蔵庫に第２の色がオーバーラッピングされるようにＧＵＩ５１０を付加することができる。このとき、第２の色は黄色であってよい。なお、洗濯機の電力使用状態が第３段階と判断された場合、制御部１２０は、図６に示すように、映像内に含まれた冷蔵庫に第３の色がオーバーラッピングされるようにＧＵＩ６１０を付加することができる。このとき、第３の色は赤色であってよい。
【００４９】
一方、上述の例においては、第１の色、第２の色、第３の色を緑色、黄色、赤色で表示しているが、それは一実施形態に過ぎず、別の色によって表現されてよい。
【００５０】
なお、制御部１２０は、電子機器の電力使用状態の各段階に対応するアイコンを生成し、イメージ内に含まれた当該電子機器の周辺に生成されたアイコンをディスプレイすることができる。
【００５１】
例えば、テレビの電力使用状態が第１段階と判断される場合、図７及び図８に示すように、制御部１２０は笑っている顔のアイコン７１０、８１０をディスプレイすることができる。また、点灯の電力使用状態が第２段階と判断される場合、制御部１２０は、図８に示すように、無表情の顔のアイコン８２０をディスプレイすることができる。なお、冷蔵庫の電力使用状態が第３段階と判断される場合、制御部１２０は、図８に示すように、不満のある顔のアイコン８３０をディスプレイすることができる。
【００５２】
一方、上述の例においては、アイコンは一実施形態に過ぎず、別のアイコンによって表現されてよい。
【００５３】
上述のように、電子機器の電力使用状態に応じて、電子機器を異なる色で表現したりアイコンを生成することで、ユーザはより直観的に当該電子機器の電力使用状態を把握することができるようになる。
【００５４】
なお、ユーザ入力部（例えば、タッチパネル）を介して生成されたＧＵＩが選択されると、制御部１２０は当該電子機器の電力使用に対する情報及び当該電子機器の電力使用を制御することができるメニューが含まれたメニューウィンドウを生成することができる。
【００５５】
例えば、図８に示すテレビの電力使用状態を表示するアイコン８１０が選択されると、図９または図１０に示すメニューウィンドウ９１０、１０１０がディスプレイされてよい。このとき、図９は、テレビの電力使用を制御することができるメニューウィンドウ９１０として、メニューウィンドウ９１０内に含まれた状態調節バーを通じてテレビの電力使用を制御することができる。例えば、状態調節バーを通じて電力使用を増加させる命令が入力されると、制御部１２０は制御命令を通信部１１０を介してテレビに伝達することができる。なお、図１０は、テレビの現在の電力使用に対する情報を示すメニューウィンドウ１０１０として、メニュー１０１０は現在までの電力使用量、瞬間電力使用量、現在までの電気代等に対する情報をディスプレイすることができる。
【００５６】
図９及び図１０のメニューウィンドウによって、ユーザは電子機器の電力使用状態に対して認識することができるだけでなく、より効率的に電子機器の電力使用を制御することができるようになる。
【００５７】
以下においては、図１１及び図１２を参照して、電子機器の電力使用状態に対する情報を提供するための携帯機器１００のＧＵＩ生成方法について説明する。図１１は、本発明の一実施形態に係る電子機器の電力使用状態に対する情報を提供するための携帯機器の電力使用状態の表示方法を簡略に説明するためのフローチャートである。
【００５８】
まず、携帯機器１００はカメラを通じて入力された画面内で少なくとも一つの電子機器を識別する（Ｓ１１１０）。このとき、携帯機器１００は、予め保存された少なくとも一つの電子機器の位置情報または形状情報を用いて少なくとも一つの電子機器を識別することができる。
【００５９】
そして、携帯機器１００は、識別された少なくとも一つの電子機器に対する電力使用情報を受信する（Ｓ１１２０）。このとき、携帯機器１００は、Ｗｉ−Ｆｉネットワーク、Ｚｉｇｂｅｅ（登録商標）ネットワーク、ＮＦＣネットワーク及びブルートゥースネットワークの何れか一つを用いて、識別された少なくとも一つの電子機器に対する電力使用情報を受信することができる。しかし、識別された少なくとも一つの電子機器に対する電力使用情報を受信することは一実施形態に過ぎず、カメラを用いて電子機器を撮影する前に予め設定された周期で電子機器に対する電力使用情報を受信することができる。
【００６０】
そして、携帯機器１００は、受信された電力使用情報を用いて、少なくとも一つの電子機器に対する電力使用状態を判断する（Ｓ１１３０）。このとき、携帯機器１００は、電子機器の現在の電力使用量が基準使用量目標値を超過しているか否か、現在の電子機器の使用パターンで使用する場合に基準使用量目標値を超過すると予想されるか否か、または現在の時間帯の電気代を考慮して高い瞬間電力を使用するか否かを判断し、少なくとも一つの電子機器に対する電力使用状態を判断する。このとき、携帯機器１００は、少なくとも一つの電子機器に対する電力使用状態を複数の段階に分けて判断することができる。
【００６１】
そして、携帯機器１００は、電力使用状態に対するＧＵＩを生成する（Ｓ１１４０）。このとき、生成されたＧＵＩは、電子機器の電力使用状態の各段階に応じて、当該電子機器を色別に表示したＧＵＩであってよく、電子機器の電力使用状態の各段階に対応するアイコンであってよい。
【００６２】
携帯機器１００は、生成されたＧＵＩをディスプレイする（Ｓ１１５０）。特に、携帯機器１００は、拡張現実機能を用いて生成されたＦＵＩを画面にディスプレイされてよい。具体的に、携帯機器１００は、少なくとも一つの電子機器が含まれたイメージを画面上にディスプレイし、識別された少なくとも一つの電子機器の電力使用状態に対応するＧＵＩを識別された少なくとも一つの電子機器の表示位置にマッチングさせてディスプレイすることができる。
【００６３】
図１２は、本発明の一実施形態に係る電子機器の電力使用状態に対する情報を提供するための携帯機器の電力使用状態の表示方法を詳細に説明するためのフローチャートである。
【００６４】
まず、携帯機器１００は、撮影部１６０を介して電子機器が含まれた映像を撮影する（Ｓ１２１０）。このとき、映像内には一つの電子機器が含まれてよく、複数の電子機器が含まれてよい。
【００６５】
そして、携帯機器１００は、映像内で電子機器を識別する（Ｓ１２２０）。このとき、携帯機器１００は上述のように、電子機器の形状情報または位置情報を用いて、電子機器を識別することができる。
【００６６】
そして、携帯機器１００は、識別された電子機器に対する電力使用情報を受信する（Ｓ１２３０）。このとき、携帯機器１００は、Ｗｉ−Ｆｉネットワーク、Ｚｉｇｂｅｅ（登録商標）ネットワーク、ＮＦＣネットワーク及びブルートゥースネットワークの何れか一つを用いて、識別された電子機器に対する電力使用情報を受信することができる。
【００６７】
識別された電子機器の電力使用情報を受信すると、携帯機器１００は識別された電子機器の電力使用状態を判断する（Ｓ１２４０）。このとき、携帯機器は上述のように、多様な方法によって当該電子機器の電力使用状態を判断する。このとき、携帯機器１００は、少なくとも一つの電子機器に対する電力使用状態を第１段階（良い）、第２段階（普通）、第３段階（悪い）のように、３段階に分けて判断することができる。
【００６８】
携帯機器１００は、識別された電子機器の電力使用状態が第１状態か否かを判断する（Ｓ１２５０）。識別された電子機器の電力使用状態が第１状態である場合（Ｓ１２５０−Ｙ）、携帯機器１００は映像内の当該電子機器に緑色がオーバーラッピングされるようにＧＵＩを生成する（Ｓ１２７０）。
【００６９】
識別された電子機器の電力使用状態が第１状態ではない場合（Ｓ１２５０−Ｎ）、携帯機器１００は識別された電子機器の電力使用状態が第２状態か否かを判断する（Ｓ１２６０）。識別された電子機器の電力使用状態が第２状態である場合（Ｓ１２６０−Ｙ）、携帯機器１００は映像内の当該電子機器に黄色がオーバーラッピングされるようにＧＵＩを生成する（Ｓ１２７３）。
【００７０】
識別された電子機器の電力使用状態が第２状態ではない場合（Ｓ１２６０−Ｎ）、携帯機器１００は当該電子機器の電力使用状態が第３段階であると判断し、映像内の当該電子機器に赤色がオーバーラッピングされるようにＧＵＩを生成する（Ｓ１２７６）。
【００７１】
そして、携帯機器１００は、ステップＳ１２７０、Ｓ１２７３、Ｓ１２７６で生成されたＧＵＩをディスプレイする（Ｓ１２８０）。
【００７２】
図１１及び図１２において説明した方法によって、ユーザは家庭内で使用する電子機器の電気使用状態を直観的に確認することができるようになる。
【００７３】
以下では、図１３を参照して、ＤＲコントローラを用いて、電力使用情報を受信する実施形態について説明する。図１３は、本発明の更に別の実施形態に係る電子機器の電力使用状態に対する情報を含むＧＵＩを提供するためのホームネットワークシステムを示す図である。
【００７４】
図１３に示すように、ホームネットワークシステム２０は、図１に示すホームネットワークシステム１０でＤＲ（Ｄｅｍａｎｄ  Ｒｅｓｐｏｎｓｅ）コントローラ３００が更に含まれる。
【００７５】
このとき、ＤＲコントローラ３００は、効率的に電力管理のために、電子機器の電力を制御する装置をいう。具体的に、電力需要がピークの場合または電気代が最も高い場合、ＤＲコントローラ３００は電子機器の電力を下げ、電力需要が少ない場合または電気代が最も安い場合、ＤＲコントローラ３００は電子機器の電力を高めるように制御する。例えば、ＤＲコントローラ３００が冷暖房装置の電力を制御する際、ＤＲコントローラ３００は電気代に応じて冷暖房の温度を調節することができる。
【００７６】
図１３に示すように、ＤＲコントローラ３００が、複数の電子機器２００−１、２００−２、…、２００−５から複数の電子機器２００−１、２００−２、…、２００−５に対する電力使用情報を受信する。そして、ＤＲコントローラ３００は、受信した電力使用情報を再び携帯機器１００に伝送する。このとき、ＤＲコントローラ３００は、複数の電子機器２００−１、２００−２、…、２００−５に対する電力使用情報だけでなく、現在の電気代情報等のような付加的な制御情報を伝送することができる。
【００７７】
よって、携帯機器１００は、ＤＲコントローラ３００から受信した複数の電子機器２００−１、２００−２、…、２００−５に対する電力使用情報及び付加的な制御情報を用いて、図２ないし図１２において説明したように、ＧＵＩを提供することができるようになる。
【００７８】
一方、上述の実施形態においては、カメラによって撮影された映像内で識別された電子機器の電力使用状態をＧＵＩで表示する実施形態で説明してきたが、保存部１６０に予め保存されたスチルイメージを用いて、予め保存されたスチルイメージ内に含まれた複数の電子機器の電力使用状態を判断し、それをＧＵＩで表示することができる。例えば、図８に示すように、携帯機器１００はリビングに対するスチルイメージを予め保存し、予め保存された位置に電力使用状態に対応するアイコンをディスプレイすることができる。
【００７９】
なお、以上では、電子機器の電力使用状態を３段階で表示しており、それは一実施形態に過ぎず、２つ以上の段階を用いて、電子機器の電力使用状態を表示することができる。
【００８０】
なお、以上では、色またはアイコンを通じて電子機器の電力使用状態を実現したが、それは一実施形態に過ぎず、別の表現方式で電子機器の電力使用状態を表現することができる。
【００８１】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００８２】
１００  携帯機器
１１０  通信部
１２０  制御部
１３０  ディスプレイ部
１４０  撮影部
１５０  ＧＵＩ生成部
１６０  保存部
【図１】
2014517955.tif 000003
【図２】
2014517955.tif 000004
【図３】
2014517955.tif 000005
【図４】
2014517955.tif 000006
【図５】
2014517955.tif 000007
【図６】
2014517955.tif 000008
【図７】
2014517955.tif 000009
【図８】
2014517955.tif 000010
【図９】
2014517955.tif 000011
【図１０】
2014517955.tif 000012
【図１１】
2014517955.tif 000013
【図１２】
2014517955.tif 000014
【図１４】
2014517955.tif 000015
【図１５】
2014517955.tif 000016
【図１６】
2014517955.tif 000017
【図１７】
2014517955.tif 000018
【図１８】
2014517955.tif 000019
【図１９】
2014517955.tif 000020
【図１３】
2014517955.tif 000021
【国際調査報告】
2014517955.tif 000022
2014517955.tif 000023